(57)【要約】      （修正有）【課題】飛行装置との通信が切断されることを抑制する。【解決手段】飛行装置の飛行予定日時、飛行開始位置及び飛行終了位置を取得する取得部４１と、飛行開始位置及び飛行終了位置に基づいて、複数の基地局を特定する特定部４２と、複数の基地局の通信状況の履歴情報に基づいて、複数の基地局において飛行予定日時に飛行装置に割り当て可能な無線リソースをそれぞれ推定する推定部４４と、推定部４４が推定した複数の基地局において飛行装置に割り当て可能な無線リソースを、飛行装置が使用する予定の通信に必要な無線リソースと比較する比較部４５と、飛行装置に割り当て可能な無線リソースが飛行装置において使用する予定の通信に必要な無線リソースより多い基地局に沿って、飛行装置の飛行ルートを設定するルート設定部４６とを備える。【選択図】図２
2019059258.tif 000002
【特許請求の範囲】
【請求項１】
飛行装置の飛行予定日時、飛行開始位置及び飛行終了位置を取得する取得部と、
前記飛行開始位置及び前記飛行終了位置に基づいて、複数の基地局を特定する特定部と、
前記複数の基地局の通信状況の履歴情報に基づいて、前記複数の基地局において前記飛行予定日時に前記飛行装置に割り当て可能な無線リソースをそれぞれ推定する推定部と、
前記推定部が推定した前記複数の基地局において前記飛行装置に割り当て可能な前記無線リソースを、前記飛行装置が使用する予定の通信に必要な無線リソースと比較する比較部と、
前記飛行装置に割り当て可能な前記無線リソースが前記飛行装置において使用する予定の通信に必要な無線リソースより多い基地局に沿って、前記飛行装置の飛行ルートを設定するルート設定部とを備える、管理装置。
【請求項２】
前記ルート設定部は、複数の周波数帯域のうち、前記飛行装置の使用可能な周波数帯域において前記飛行装置に割り当て可能な無線リソースが前記飛行装置において使用する予定の通信に必要な無線リソースより多い基地局に沿って、前記飛行ルートを設定する、請求項１に記載の管理装置。
【請求項３】
前記取得部は、前記基地局のセル内を同時に飛行予定の他の飛行装置の飛行予定数を求め、
前記ルート設定部は、前記飛行予定数が前記基地局のセルを同時に飛行可能な上限数に達していない基地局に沿って、前記飛行ルートを設定する、請求項１又は２に記載の管理装置。
【請求項４】
前記取得部は、前記複数の基地局のセルの干渉の強さを取得し、
前記管理装置は、前記飛行装置の飛行ルート上の前記基地局のセルにおいて前記取得部が取得した干渉の強さが閾値より高い場合に、前記基地局のアンテナから送信される電波の向きを調整する調整部をさらに備える、請求項１から３のいずれか一項に記載の管理装置。
【請求項５】
前記取得部は、前記複数の基地局のセルの干渉の強さを取得し、
前記ルート設定部は、前記取得部が取得した干渉の強さが閾値以下の基地局に沿って、前記飛行ルートを設定する、請求項１から３のいずれか一項に記載の管理装置。
【請求項６】
前記取得部は、前記複数の基地局の通信状況を取得し、当該複数の基地局の通信状況に基づいて、前記複数の基地局において前記飛行装置に割り当て可能な無線リソースを取得し、
前記ルート設定部は、前記複数の基地局の通信状況に基づく前記飛行装置に割り当て可能な無線リソースが前記飛行装置において使用する予定の通信に必要な無線リソースより多い基地局に沿って、前記飛行装置の飛行ルートを再設定する、請求項１から５のいずれか一項に記載の管理装置。
【請求項７】
前記推定部は、前記飛行予定日時に実施されるイベント又はメンテナンスの前回の実施日時における前記複数の基地局の通信状況の履歴情報に基づいて、前記複数の基地局において前記飛行予定日時に前記飛行装置に割り当て可能な無線リソースをそれぞれ推定する、請求項１から６のいずれか一項に記載の管理装置。
【請求項８】
前記取得部は、外部装置から前記飛行装置が使用する予定の通信に必要な無線リソースを取得し、
前記ルート設定部は、前記飛行装置が使用する予定の通信に必要な無線リソースを前記取得部が取得したことに基づいて、前記飛行装置に割り当て可能な前記無線リソースが前記飛行装置において使用する予定の通信に必要な無線リソースより多い基地局に沿って、前記飛行装置の飛行ルートを設定する、請求項１から７のいずれか一項に記載の管理装置。
【請求項９】
第１管理装置と、第２管理装置とを備える飛行管理システムであって、
前記第１管理装置は、
飛行装置の飛行予定日時、飛行開始位置及び飛行終了位置を取得する取得部と、
前記飛行開始位置及び前記飛行終了位置に基づいて、複数の基地局を特定する特定部と、
前記複数の基地局の通信状況の履歴情報に基づいて、前記複数の基地局において前記飛行予定日時に前記飛行装置に割り当て可能な無線リソースをそれぞれ推定する推定部と、
前記推定部が推定した前記複数の基地局において前記飛行装置に割り当て可能な前記無線リソースを前記第２管理装置へ通知する通知部と、
を有し、
前記第２管理装置は、
前記通知部が通知した前記複数の基地局において前記飛行装置に割り当て可能な前記無線リソースを、前記飛行装置が使用する予定の通信に必要な無線リソースと比較する比較部と、
前記飛行装置に割り当て可能な前記無線リソースが前記飛行装置において使用する予定の通信に必要な無線リソースより多い基地局に沿って、前記飛行装置の飛行ルートを設定するルート設定部とを有する、飛行管理システム。
【請求項１０】
飛行装置の飛行予定日時、飛行開始位置及び飛行終了位置を取得するステップと、
前記飛行開始位置及び前記飛行終了位置に基づいて、複数の基地局を特定するステップと、
前記複数の基地局の通信状況の履歴情報に基づいて、前記複数の基地局において前記飛行予定日時に前記飛行装置に割り当て可能な無線リソースをそれぞれ推定するステップと、
推定した前記複数の基地局において前記飛行装置に割り当て可能な前記無線リソースを、前記飛行装置が使用する予定の通信に必要な無線リソースと比較するステップと、
前記飛行装置に割り当て可能な前記無線リソースが前記飛行装置において使用する予定の通信に必要な無線リソースより多い基地局に沿って、前記飛行装置の飛行ルートを設定するステップとを備える、飛行管理方法。
【請求項１１】
コンピュータに、
飛行装置の飛行予定日時、飛行開始位置及び飛行終了位置を取得するステップと、
前記飛行開始位置及び前記飛行終了位置に基づいて、複数の基地局を特定するステップと、
前記複数の基地局の通信状況の履歴情報に基づいて、前記複数の基地局において前記飛行予定日時に前記飛行装置に割り当て可能な無線リソースをそれぞれ推定するステップと、
推定した前記複数の基地局において前記飛行装置に割り当て可能な前記無線リソースを、前記飛行装置が使用する予定の通信に必要な無線リソースと比較するステップと、
前記飛行装置に割り当て可能な前記無線リソースが前記飛行装置において使用する予定の通信に必要な無線リソースより多い基地局に沿って、前記飛行装置の飛行ルートを設定するステップと、
を実行させるプログラム。
【発明の詳細な説明】
【技術分野】
【０００１】
本発明は、飛行装置の飛行ルートを設定するための管理装置、飛行管理システム、飛行管理方法及びプログラムに関する。
【背景技術】
【０００２】
サーバからの制御信号によりドローン等の飛行装置を飛行させることが広く行われている（例えば、特許文献１を参照）。特に、携帯電話網を利用して飛行中の飛行装置を制御することが行われている。
【先行技術文献】
【特許文献】
【０００３】
【特許文献１】特開２０１７−１１７０１８号公報
【発明の概要】
【発明が解決しようとする課題】
【０００４】
飛行装置の飛行エリアにおいて携帯電話網の基地局に対する接続数が過大になった場合に、通信品質が悪化することにより、飛行装置へ制御信号が届かなくなるという問題があった。
【０００５】
本発明は、上記の問題に鑑みてなされたものであり、飛行装置との通信が切断されることを抑制することができる管理装置、飛行管理システム、飛行管理方法及びプログラムを提供することを目的とする。
【課題を解決するための手段】
【０００６】
本発明の第１の態様の管理装置は、飛行装置の飛行予定日時、飛行開始位置及び飛行終了位置を取得する取得部と、前記飛行開始位置及び前記飛行終了位置に基づいて、複数の基地局を特定する特定部と、前記複数の基地局の通信状況の履歴情報に基づいて、前記複数の基地局において前記飛行予定日時に前記飛行装置に割り当て可能な無線リソースをそれぞれ推定する推定部と、前記推定部が推定した前記複数の基地局において前記飛行装置に割り当て可能な前記無線リソースを、前記飛行装置が使用する予定の通信に必要な無線リソースと比較する比較部と、前記飛行装置に割り当て可能な前記無線リソースが前記飛行装置において使用する予定の通信に必要な無線リソースより多い基地局に沿って、前記飛行装置の飛行ルートを設定するルート設定部とを備える。
【０００７】
前記ルート設定部は、複数の周波数帯域のうち、前記飛行装置の使用可能な周波数帯域において前記飛行装置に割り当て可能な無線リソースが前記飛行装置において使用する予定の通信に必要な無線リソースより多い基地局に沿って、前記飛行ルートを設定してもよい。
【０００８】
前記取得部は、前記基地局のセル内を同時に飛行予定の他の飛行装置の飛行予定数を求め、前記ルート設定部は、前記飛行予定数が前記基地局のセルを同時に飛行可能な上限数に達していない基地局に沿って、前記飛行ルートを設定してもよい。
【０００９】
前記取得部は、前記複数の基地局のセルの干渉の強さを取得し、前記管理装置は、前記飛行装置の飛行ルート上の前記基地局のセルにおいて前記取得部が取得した干渉の強さが閾値より高い場合に、前記基地局のアンテナから送信される電波の向きを調整する調整部をさらに備えてもよい。
【００１０】
前記取得部は、前記複数の基地局のセルの干渉の強さを取得し、前記ルート設定部は、前記取得部が取得した干渉の強さが閾値以下の基地局に沿って、前記飛行ルートを設定してもよい。
【００１１】
前記取得部は、前記複数の基地局の通信状況を取得し、当該複数の基地局の通信状況に基づいて、前記複数の基地局において前記飛行装置に割り当て可能な無線リソースを取得し、前記ルート設定部は、前記複数の基地局の通信状況に基づく前記飛行装置に割り当て可能な無線リソースが前記飛行装置において使用する予定の通信に必要な無線リソースより多い基地局に沿って、前記飛行装置の飛行ルートを再設定してもよい。
【００１２】
前記推定部は、前記飛行予定日時に実施されるイベント又はメンテナンスの前回の実施日時における前記複数の基地局の通信状況の履歴情報に基づいて、前記複数の基地局において前記飛行予定日時に前記飛行装置に割り当て可能な無線リソースをそれぞれ推定してもよい。
【００１３】
前記取得部は、外部装置から前記飛行装置が使用する予定の通信に必要な無線リソースを取得し、前記ルート設定部は、前記飛行装置が使用する予定の通信に必要な無線リソースを前記取得部が取得したことに基づいて、前記飛行装置に割り当て可能な前記無線リソースが前記飛行装置において使用する予定の通信に必要な無線リソースより多い基地局に沿って、前記飛行装置の飛行ルートを設定してもよい。
【００１４】
本発明の第２の態様の飛行管理システムは、第１管理装置と、第２管理装置とを備える飛行管理システムであって、前記第１管理装置は、飛行装置の飛行予定日時、飛行開始位置及び飛行終了位置を取得する取得部と、前記飛行開始位置及び前記飛行終了位置に基づいて、複数の基地局を特定する特定部と、前記複数の基地局の通信状況の履歴情報に基づいて、前記複数の基地局において前記飛行予定日時に前記飛行装置に割り当て可能な無線リソースをそれぞれ推定する推定部と、前記推定部が推定した前記複数の基地局において前記飛行装置に割り当て可能な前記無線リソースを前記第２管理装置へ通知する通知部と、を有し、前記第２管理装置は、前記通知部が通知した前記複数の基地局において前記飛行装置に割り当て可能な前記無線リソースを、前記飛行装置が使用する予定の通信に必要な無線リソースと比較する比較部と、前記飛行装置に割り当て可能な前記無線リソースが前記飛行装置において使用する予定の通信に必要な無線リソースより多い基地局に沿って、前記飛行装置の飛行ルートを設定するルート設定部とを有してもよい。
【００１５】
本発明の第３の態様の飛行管理方法は、飛行装置の飛行予定日時、飛行開始位置及び飛行終了位置を取得するステップと、前記飛行開始位置及び前記飛行終了位置に基づいて、複数の基地局を特定するステップと、前記複数の基地局の通信状況の履歴情報に基づいて、前記複数の基地局において前記飛行予定日時に前記飛行装置に割り当て可能な無線リソースをそれぞれ推定するステップと、推定した前記複数の基地局において前記飛行装置に割り当て可能な前記無線リソースを、前記飛行装置が使用する予定の通信に必要な無線リソースと比較するステップと、前記飛行装置に割り当て可能な前記無線リソースが前記飛行装置において使用する予定の通信に必要な無線リソースより多い基地局に沿って、前記飛行装置の飛行ルートを設定するステップとを備えてもよい。
【００１６】
本発明の第４の態様のプログラムは、コンピュータに、飛行装置の飛行予定日時、飛行開始位置及び飛行終了位置を取得するステップと、前記飛行開始位置及び前記飛行終了位置に基づいて、複数の基地局を特定するステップと、前記複数の基地局の通信状況の履歴情報に基づいて、前記複数の基地局において前記飛行予定日時に前記飛行装置に割り当て可能な無線リソースをそれぞれ推定するステップと、推定した前記複数の基地局において前記飛行装置に割り当て可能な前記無線リソースを、前記飛行装置が使用する予定の通信に必要な無線リソースと比較するステップと、前記飛行装置に割り当て可能な前記無線リソースが前記飛行装置において使用する予定の通信に必要な無線リソースより多い基地局に沿って、前記飛行装置の飛行ルートを設定するステップと、を実行させる。
【発明の効果】
【００１７】
本発明によれば、飛行装置との通信が切断されることを抑制するという効果を奏する。
【図面の簡単な説明】
【００１８】
【図１】本実施の形態に係る飛行管理システムの構成を示す図である。
【図２】管理装置の構成を示す図である。
【図３】取得部による隣接基地局からの干渉の強さの取得方法について説明するための図である。
【図４】飛行ルートの設定方法の一例について説明するための図である。
【図５】管理装置の動作を示すフローチャートである。
【発明を実施するための形態】
【００１９】
［飛行管理システムＳの構成］
図１は、本実施の形態に係る飛行管理システムＳの構成を示す図である。飛行管理システムＳは、管理装置１００、飛行装置２００及び複数の基地局３００を備える。管理装置１００は、飛行装置２００が飛行するための飛行ルートを設定する。また、管理装置１００は、ネットワークＮ及び基地局３００を介して、飛行中の飛行装置２００と通信する。管理装置１００は、飛行ルートに沿って飛行装置２００を飛行させるように、飛行装置２００へ飛行方向を逐次指示する。また、管理装置１００は、ネットワークＮを介して、複数の基地局３００と通信する。例えば、管理装置１００は、複数の基地局３００の通信状況を所定期間ごとに取得し、取得した通信状況の履歴情報を記憶している。所定期間は、例えば、１時間である。
【００２０】
通信状況は、例えば、ＲＳＳＩ，ＢＬＥＲ、パケットロス、スループット、ＲＴＴ、隣接基地局からの干渉の強さ又は基地局３００に同時に接続する回線数、基地局３００のＣＰＵ（Central Processing Unit）の利用率、メモリーの利用率、帯域幅の利用率等である。ＲＳＳＩ（Received Signal Strength Indicator）は、通信端末等から送信された無線信号を基地局３００が受信する受信強度である。ＢＬＥＲ（Block error ratio）は、通信において一定の時間間隔の間に送られるブロックの総数に対する誤って受信したブロックの数の比率である。スループットは、データ伝送における単位時間のデータ転送可能量を示す。ＲＴＴ（Round-Trip Time）は、遅延を示し、２つのデバイス間をパケットが往復するのにかかる時間を示す。
【００２１】
また、管理装置１００は、複数の基地局３００の通信状況の履歴情報を参照することにより、飛行装置２００の飛行予定日時に複数の基地局３００において飛行装置２００に割り当て可能な無線リソースを推定する。無線リソースとは、時間領域および周波数領域に二次元のスケジューリングを行うものであって、これらの成分を所定の単位に基づいてメッシュ状に分割したリソースエレメントの割り当て数を指す。
【００２２】
例えば、リソースエレメントは、帯域幅を周波数成分に対して１５ｋＨｚごとに１２分割し、時間方向において１ｍｓを最小単位として分割したものである。なお、無線リソースは、飛行装置２００に割り当て可能な帯域幅又は送信電力であってもよい。管理装置１００は、飛行装置２００に割り当て可能な無線リソースが、飛行装置２００が基地局３００を介する通信において使用する予定の通信に必要な無線リソースより大きくなるように、飛行ルートを設定する。
【００２３】
飛行装置２００は、管理装置１００が設定した飛行ルートに沿って移動する。飛行装置２００は、例えば、ドローンである。飛行装置２００は、例えば、管理装置１００により逐次指示された飛行方向へ移動するが、ユーザが図示しない操作端末により、飛行ルートに沿って飛行方向を逐次指示してもよい。操作端末は、例えば、スマートフォンである。
【００２４】
［管理装置１００の構成］
図２は、管理装置１００の構成を示す。管理装置１００は、通信部１、操作部２、記憶部３及び制御部４を備える。通信部１は、基地局３００を介する通信のための通信インターフェースである。操作部２は、操作キー及びタッチパネルである。記憶部３は、ＲＯＭ（Read Only Memory）及びＲＡＭ（Random Access Memory）等の記憶媒体である。記憶部３は、制御部４が実行するプログラムを記憶している。
【００２５】
制御部４は、例えばＣＰＵである。制御部４は、記憶部３に記憶されたプログラムを実行することにより、取得部４１、特定部４２、操作受付部４３、推定部４４、比較部４５、ルート設定部４６及び調整部４７として機能する。
【００２６】
取得部４１は、飛行装置２００の飛行予定日時と、飛行装置２００が飛行を開始する飛行開始位置と、飛行装置２００が飛行の目的地である飛行終了位置を取得する。例えば、取得部４１は、図示しない外部装置から飛行装置２００の飛行予定日時、飛行開始位置及び飛行終了位置を通信部１を介して取得する。外部装置は、例えば、飛行装置２００のユーザのパーソナルコンピュータである。
【００２７】
また、基地局３００から電波の届く範囲であるセル内を同時に飛行可能な飛行装置２００の数の上限は、予め決められている。このため、取得部４１は、記憶部３が記憶している他の飛行装置の飛行計画に記載された飛行ルートをそれぞれ参照することにより、取得した飛行予定日時に基地局３００のセル内を飛行予定の他の飛行装置の飛行予定数を取得する。また、取得部４１は、外部装置から通信部１を介して、飛行装置２００が使用する予定の通信に必要な無線リソースを取得する。
【００２８】
取得部４１は、複数の基地局３００の通信状況を取得する。取得部４１は、複数の基地局３００の通信状況を周波数帯域ごとに取得してもよい。例えば、取得部４１は、複数の基地局３００の通信状況として、隣接基地局からの干渉の強さを取得する。図３を参照して、取得部４１による隣接基地局からの干渉の強さの取得方法について説明する。
【００２９】
図３は、基地局３００Ａのセルを楕円で示す。また、基地局３００Ａのセルには基地局３００Ｂが隣接するとする。基地局３００Ｂから基地局３００Ａのセルへの干渉の強さは、例えば、基地局３００Ｂからの信号を測定することにより求めることができる。基地局３００Ａのセル内の上空において飛行装置が飛行中であるとき、この飛行装置は、基地局３００Ａからの信号と、基地局３００Ｂからの信号とをいずれも測定しており、これらの測定結果を基地局３００Ａに所定期間ごとに送信する。所定期間は、例えば、１分間である。基地局３００Ａは、飛行装置から受信した測定結果を含む通信状況を管理装置１００へ送信し、取得部４１は、受信した通信状況の履歴情報を記憶部３に蓄積しておく。
【００３０】
取得部４１は、飛行装置が基地局３００Ａのセル内において測定した基地局３００Ｂからの信号の受信強度を閾値と比較する。閾値は、隣接基地局からの電波干渉に起因して飛行中の飛行装置２００と基地局３００との通信が切断されることなく、飛行装置２００が安定飛行することを担保できる程度の値である。
【００３１】
例えば、飛行装置が基地局３００Ａのセル内において測定した基地局３００Ｂからの信号の受信強度を示すＲＳＲＰ（Reference Signal Received Power）は、大きいほど基地局３００Ｂからの干渉が大きくなり、この干渉によって飛行中の飛行装置２００と基地局３００との間の通信が切断されるリスクが大きくなることを示す。飛行装置が基地局３００Ａのセル内において測定したＲＳＲＰが−１１０ｄＢｍであり、閾値が−１１５ｄＢｍである場合、取得部４１は、基地局３００Ｂからの信号の受信強度が閾値よりも大きい（−１１０ｄＢｍ＞−１１５ｄＢｍ）と判定する。なお、取得部４１は、基地局３００Ｂからの信号の受信強度を示す測定値としてＲＳＲＱ（Reference signal Received quality）を閾値と比較してもよい。
【００３２】
また、取得部４１は、飛行装置２００の飛行中に取得した複数の基地局３００の通信状況に基づいて、複数の基地局３００における飛行装置２００に割り当て可能な無線リソースをそれぞれ取得してもよい。例えば、取得部４１は、飛行装置２００の飛行中に取得部４１が取得した通信状況における基地局３００に同時に接続している回線数を参照し、基地局３００が提供可能な無線リソースを基地局３００に同時に接続している回線数で等分することにより、飛行装置２００に割り当て可能な無線リソースを求めてもよい。例えば、取得部４１は、基地局３００が提供可能な無線リソースとしての帯域幅が１Ｇｂｐｓであり、基地局３００に同時に接続している回線数が５本である場合には、１Ｇｂｐｓを５本で等分した０．２Ｇｂｐｓを飛行装置２００に割り当て可能な無線リソースとしてもよい。
【００３３】
特定部４２は、取得部４１が取得した飛行開始位置及び飛行終了位置に基づいて、複数の基地局３００を特定する。特定部４２は、例えば、飛行開始位置と飛行終了位置とを結ぶ直線に対する最短距離が所定距離内に位置する基地局３００を特定する。所定距離は、例えば、２〜２０ｋｍである。
【００３４】
操作受付部４３は、管理者による操作部２への操作入力を受け付ける。花火大会などのイベントが実施されると、イベント会場周辺の基地局３００の帯域幅の利用率が上昇することがある。また、基地局３００のメンテナンスにより、一時的に基地局３００が飛行装置２００に割り当て可能な無線リソースが減少することがある。そこで、操作受付部４３は、帯域幅の利用率が上昇するイベントの実施予定日時及び過去の実施日時を基地局３００ごとに入力する操作を受け付ける。同様に、操作受付部４３は、飛行装置２００に割り当て可能な無線リソースが減少するメンテナンスの実施予定日時及び過去の実施日時を基地局３００ごとに入力する操作を受け付ける。操作受付部４３は、受け付けたイベント等の実施予定日時及び過去の実施日時を記憶部３に記憶させる。
【００３５】
推定部４４は、特定部４２が特定した複数の基地局３００の通信状況の履歴情報に基づいて、複数の基地局３００が飛行予定日時において飛行装置２００に割り当て可能な無線リソースをそれぞれ推定する。例えば、推定部４４は、通信状況の統計値を用いて飛行装置２００に割り当て可能な無線リソースを求める。より詳しくは、推定部４４は、通信状況の履歴情報のうち、直近の１か月間の帯域幅の利用率の平均値を飛行予定日時の帯域幅の利用率としてみなしてこの平均値を求め、求めた帯域幅の利用率の平均値から利用していない帯域幅を算出することにより、飛行装置２００に割り当て可能な無線リソースを求める。
【００３６】
また、複数の基地局３００の帯域幅の利用率は、時間帯及び曜日によって異なる傾向がある。このため、推定部４４は、飛行予定日時と同じ時間帯又は曜日の通信状況の履歴情報を参照することにより、飛行予定日時において飛行装置２００に割り当て可能な無線リソースを求めてもよい。
【００３７】
また、推定部４４は、飛行予定日時にイベント又はメンテナンスが実施される場合には、飛行予定日時に実施されるイベント又はメンテナンスの前回の実施日時における複数の基地局３００の通信状況の履歴情報に基づいて、複数の基地局３００における飛行予定日時の飛行装置２００に割り当て可能な無線リソースをそれぞれ推定する。例えば、推定部４４は、前回のイベント実施中の対応する時刻の通信状況の履歴情報に基づいて、飛行予定日時の飛行装置２００に割り当て可能な無線リソースを推定する。より詳しくは、飛行予定日時が２０１７年８月２６日２０時４２分であり、この飛行予定日時が花火大会の実施中である場合には、推定部４４は、前回の花火大会の実施日時の同じ時刻（２０時４２分）の通信状況に基づいて、飛行予定日時において飛行装置２００に割り当て可能な無線リソースを推定する。
【００３８】
また、比較部４５は、推定部４４が推定した複数の基地局３００における飛行装置２００に割り当て可能な無線リソースと、飛行装置２００が使用する予定の通信に必要な無線リソースとして取得部４１が取得した無線リソースとを比較する。
【００３９】
また、比較部４５は、基地局３００が送受信可能な複数の周波数帯域のうち、飛行装置２００の使用可能な周波数帯域を外部装置から取得する。比較部４５は、飛行装置２００の使用可能な周波数帯域において飛行装置２００に割り当て可能な無線リソースと、飛行装置２００において使用する予定の通信に必要な無線リソースとを比較する。例えば、基地局３００が送受信可能な周波数帯域が２．１ＧＨｚ及び１．８ＧＨｚであり、飛行装置２００が使用可能な周波数帯域が１．８ＧＨｚである場合、比較部４５は、１．８ＧＨｚの周波数帯域において飛行装置２００に割り当て可能な無線リソースと、飛行装置２００において使用する予定の通信に必要な無線リソースとを比較する。比較部４５は、比較結果をルート設定部４６に通知する。
【００４０】
［割り当て可能な無線リソースに基づく飛行ルートの設定］
ルート設定部４６は、飛行装置２００が飛行するための飛行ルートを設定する。ルート設定部４６は、例えば、取得部４１において飛行開始位置と、飛行終了位置と、飛行装置２００が使用する予定の通信に必要な無線リソースとを外部装置から取得したときに、飛行ルートを設定する。ルート設定部４６は、特定部４２が特定した複数の基地局３００のうち、飛行装置２００に割り当て可能な無線リソースが飛行装置２００において使用する予定の通信に必要な無線リソースより多いと比較部４５において判定した基地局３００に沿って、飛行ルートを設定する。
【００４１】
また、ルート設定部４６は、飛行装置２００の使用可能な周波数帯域において飛行装置２００に割り当て可能な無線リソースが飛行装置２００において使用する予定の通信に必要な無線リソースより大きいと比較部４５において判定した基地局３００に沿って、飛行ルートを設定する。例えば、ルート設定部４６は、１．８ＧＨｚの周波数帯域において飛行装置２００に割り当て可能な無線リソースが、飛行装置２００において使用する予定の通信に必要な無線リソースより大きいと比較部４５において判定した基地局３００に沿って、飛行ルートを設定する。
【００４２】
［飛行予定数に基づく飛行ルートの設定］
また、ルート設定部４６は、飛行装置２００を除く飛行予定数が基地局３００のセルを同時に飛行可能な上限数に達していない基地局３００に沿って飛行ルートを設定する。例えば、ルート設定部４６は、同時に飛行可能な上限数が４機である場合、飛行装置２００を除く飛行予定数が３機以下である基地局３００に沿って飛行ルートを設定する。
【００４３】
また、ルート設定部４６は、飛行ルート上における飛行装置２００の移動速度を含む飛行スケジュールを設定してもよい。例えば、ルート設定部４６は、飛行装置２００の飛行ルートを複数の区間に分割し、飛行装置２００の移動速度を区間ごとに指定することにより、飛行予定数が基地局３００のセルを同時に飛行可能な上限数を超えないように、飛行装置２００の飛行スケジュールを設定してもよい。
【００４４】
また、ルート設定部４６は、設定した飛行装置２００の飛行ルートを記憶部３に記憶させる。ルート設定部４６は、飛行装置２００の飛行ルートが属する基地局３００のセルにおいて同時に飛行可能な飛行装置の数の上限を超えないように、他の飛行装置の飛行ルートを制限する。
【００４５】
［干渉の強さに基づく飛行ルートの設定］
また、ルート設定部４６は、取得部４１が取得した通信状況において干渉の強さが閾値以下である基地局３００に沿って飛行する飛行ルートを設定する。閾値は、隣接基地局からの電波干渉に起因して飛行中の飛行装置２００と基地局との通信が切断されることなく、飛行装置２００が安定飛行することを担保できる程度の値である。
【００４６】
図４を参照して、飛行ルートの設定方法の一例について説明する。まず、取得部４１が飛行開始位置Ｔ及び飛行終了位置Ｇを取得する。次に、特定部４２は、飛行開始位置Ｔと飛行終了位置Ｇとを結ぶ破線に対する最短距離が所定距離内に位置する基地局３００のセルＣ１〜Ｃ９を特定する。取得部４１は、セルＣ１〜Ｃ９の通信状況における干渉の強さを閾値と比較する。図４の例では、セルＣ１，Ｃ３，Ｃ５〜Ｃ９において隣接するセルからの干渉の強さは閾値以下であり、ハッチングで示すセルＣ２及びＣ４において隣接するセルからの干渉の強さは閾値より大きい。
【００４７】
ルート設定部４６は、取得部４１が取得した干渉の強さが閾値以下である基地局３００に沿って飛行する飛行ルートを設定する。図４の例では、ルート設定部４６は、取得部４１が取得した干渉の強さが閾値以下である基地局３００のセルＣ１，Ｃ６，Ｃ３及びＣ５に沿って飛行し、取得部４１が取得した干渉の強さが閾値より大きい基地局３００のセルＣ２及びＣ４を回避するように、飛行ルートを設定する。
【００４８】
［飛行ルートの再設定］
図２の説明に戻る。飛行装置２００の飛行直前に飛行ルート上の基地局３００が故障すること等に起因して、飛行ルート上の一部の基地局３００のセルにおいて飛行装置２００に割り当てられる無線リソースが飛行装置２００において使用する予定の通信に必要な無線リソースより小さくなることがある。この場合、ルート設定部４６は、飛行装置２００の飛行中に、飛行装置２００の飛行ルートを再設定する。
【００４９】
まず、ルート設定部４６は、飛行装置２００の飛行中に取得部４１が取得した複数の基地局３００の通信状況に基づいて、飛行装置２００に割り当て可能な無線リソースを再度取得する。例えば、ルート設定部４６は、取得部４１が飛行装置２００の飛行中に取得した複数の基地局３００の通信状況を参照し、参照した通信状況のうち、基地局３００に同時に接続している回線数で基地局３００の無線リソースを等分することにより飛行装置２００に割り当て可能な無線リソースを取得する。さらに、ルート設定部４６は、取得した飛行装置２００に割り当て可能な無線リソースが飛行装置２００において使用する予定の通信に必要な無線リソースより多くなる基地局３００を特定する。ルート設定部４６は、特定した基地局３００に沿って飛行するように、飛行装置２００の飛行ルートを再設定する。
【００５０】
また、ルート設定部４６は、飛行装置２００に割り当て可能な無線リソースを確保するために、飛行装置２００に割り当てる周波数帯域を別の周波数帯域に変更してもよい。この場合、ルート設定部４６は、変更後の周波数帯域における飛行装置２００に割り当て可能な無線リソースが飛行装置２００において使用する予定の通信に必要な無線リソースより多くなる基地局３００に沿って飛行するように、飛行装置２００の飛行ルートを再設定してもよい。
【００５１】
また、基地局３００のセルの周縁部は、セルの中心に比べて隣接基地局からの信号の干渉の強さが高い傾向がある。このため、ルート設定部４６は、基地局３００のセルの周縁部をできるだけ通らないように、飛行装置２００の飛行ルートを設定してもよい。
【００５２】
調整部４７は、取得部４１が取得した基地局３００のセル内における干渉の強さが閾値よりも高い場合に、基地局３００のアンテナから電波が送信される向きを調整する。調整部４７は、例えば、基地局３００のアンテナのビーム方向を上向きに変更することにより、飛行装置２００が受信する信号の強度を向上させる。このとき、飛行装置２００が受信する信号の強度が、隣接基地局からの信号の干渉の強さに比べて相対的に大きくなるため、飛行装置２００と基地局３００との間の通信の通信品質が向上する。
【００５３】
また、調整部４７は、飛行装置２００に割り当てる無線リソースを他のユーザに割り当てる無線リソースより優先することにより、飛行装置２００に割り当てる無線リソースを増加させてもよい。
【００５４】
例えば、災害時には、広範囲に存在する基地局３００において基地局３００に接続する回線数が同時に上昇することに起因して、どのように飛行ルートを設定したとしても飛行装置２００に割り当て可能な無線リソースが飛行装置２００において使用する予定の通信に必要な無線リソース以下になることがある。そこで、調整部４７は、飛行装置２００の飛行ルート上の基地局３００のセルにおいて飛行装置２００に割り当て可能な無線リソースが飛行装置２００において使用する予定の通信に必要な無線リソース以下である場合に、飛行装置２００に割り当てる無線リソースを増加させてもよい。
【００５５】
［飛行ルートの設定手順］
図５は、管理装置１００の動作を示すフローチャートである。図５の処理手順は、例えば、外部装置が、飛行装置２００の飛行開始位置と、飛行終了位置と、飛行予定日時と、飛行装置２００が使用する予定の通信に必要な無線リソースと、を管理装置１００へ送信したときに開始する。
【００５６】
まず、取得部４１は、飛行開始位置と、飛行終了位置と、飛行予定日時と、飛行装置２００が使用する予定の通信に必要な無線リソースとを通信部１により取得する（ステップＳ１０１）。特定部４２は、飛行開始位置と飛行終了位置とを結ぶ直線に対する最短距離が所定距離内に位置する基地局３００を特定する（ステップＳ１０２）。推定部４４は、特定部４２が特定した複数の基地局３００の通信状況の履歴情報に基づいて、複数の基地局３００が飛行予定日時において飛行装置２００に割り当て可能な無線リソースをそれぞれ推定する（ステップＳ１０３）。
【００５７】
さらに、取得部４１は、記憶部３が記憶している他の飛行装置の飛行計画に記載された飛行ルートをそれぞれ参照することにより、取得した飛行予定日時に基地局３００のセル内を飛行予定の他の飛行装置の飛行予定数を取得する（ステップＳ１０４）。比較部４５は、推定部４４が推定した複数の基地局３００における飛行装置２００に割り当て可能な無線リソースを、飛行装置２００が使用する予定の通信に必要な無線リソースとして取得部４１が取得した無線リソースとそれぞれ比較する（ステップＳ１０５）。
【００５８】
ルート設定部４６は、取得部４１が取得した複数の基地局３００の干渉の強さを閾値とそれぞれ比較する（ステップＳ１０６）。ルート設定部４６は、取得部４１が取得した干渉の強さが閾値以下であり、且つ、推定部４４が推定した複数の基地局３００における飛行装置２００に割り当て可能な無線リソースが飛行装置２００において使用する予定の通信に必要な無線リソースより多い基地局３００に沿って、飛行ルートを設定し、処理を終了する（ステップＳ１０７）。
【００５９】
［本発明による効果］
本実施の形態によれば、ルート設定部４６は、飛行装置２００に割り当て可能な無線リソースが飛行装置２００において使用する予定の通信に必要な無線リソースより多い基地局３００に沿って、飛行装置２００の飛行ルートを設定する。このため、飛行装置２００の飛行中に飛行装置２００の基地局３００を介した通信が切断されることを抑制することができる。
【００６０】
また、本実施の形態によれば、ルート設定部４６は、飛行予定数が基地局３００のセルを同時に飛行可能な上限数に達していない基地局３００に沿って、飛行ルートを設定する。このため、ルート設定部４６は、飛行装置２００が基地局３００のセルを同時に飛行可能な上限数を超えて飛行してしまうことを抑制することができる。
【００６１】
また、本実施の形態によれば、調整部４７は、飛行装置２００の飛行ルート上の基地局３００のセルにおいて取得部４１が取得した干渉の強さが閾値より高い場合に、基地局３００のアンテナから送信される電波の向きを調整する。調整部４７は、この電波の向きを調整することにより、飛行装置２００と基地局３００との間の通信の通信品質を向上させることができる。このため、調整部４７は、隣接した基地局３００等からの信号の干渉に起因して、飛行装置２００と基地局３００との間の通信品質が低下することを抑制することができる。
【００６２】
また、本実施の形態によれば、ルート設定部４６は、推定部４４が推定した干渉の強さが閾値以下の基地局３００に沿って、飛行ルートを設定する。このため、隣接した基地局３００等からの信号の干渉に起因して、飛行装置２００の飛行中に飛行装置２００と基地局３００との間の通信が切断されることを抑制することができる。
【００６３】
また、本実施の形態によれば、ルート設定部４６は、複数の基地局３００の通信状況に基づく飛行装置２００に割り当て可能な無線リソースが飛行装置２００において使用する予定の通信に必要な無線リソースより多い基地局３００に沿って、飛行装置２００の飛行ルートを再設定する。このため、ルート設定部４６は、基地局３００の故障などに起因して、飛行ルートの設定後に飛行装置２００に割り当てられる無線リソースが確保できなくなった場合などに、飛行ルートを再設定することができる。
【００６４】
また、本実施の形態によれば、推定部４４は、飛行予定日時に実施されるイベント又はメンテナンスの前回の実施日時における複数の基地局３００の通信状況の履歴情報に基づいて、複数の基地局３００において飛行予定日時に飛行装置２００に割り当て可能な無線リソースをそれぞれ推定する。このため、イベントにより基地局３００の帯域幅の利用率が増大している場合、又は、メンテナンスにより基地局３００の帯域幅が狭くなっている場合に、飛行装置２００に割り当て可能な無線リソースが低下することを抑制することができる。
【００６５】
また、本実施の形態によれば、ルート設定部４６は、飛行装置２００が使用する予定の通信に必要な無線リソースを取得部４１が取得したことに基づいて、飛行装置２００に割り当て可能な無線リソースが飛行装置２００において使用する予定の通信に必要な無線リソースより多い基地局３００に沿って、飛行装置２００の飛行ルートを設定する。このため、飛行ルートの設定操作を簡略化することができる。
【００６６】
なお、本実施の形態では、管理装置１００が一台のサーバからなる例について説明した。しかしながら、本発明はこれに限定されない。例えば、管理装置１００がクラウドベースの複数のサーバからなる構成であってもよい。具体的には、管理装置１００が、ネットワークにより互いに接続された第１管理装置及び第２管理装置を含み、第１管理装置が図２の取得部４１と、特定部４２と、推定部４４とを備え、第２管理装置が比較部４５と、ルート設定部４６とを備えてもよい。この場合に、第１管理装置は、推定部４４が推定した複数の基地局において飛行装置２００に割り当て可能な無線リソースを第２管理装置へ通知する通知部をさらに備えてもよい。
【００６７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６８】
１  通信部
２  操作部
３  記憶部
４  制御部
４１  取得部
４２  特定部
４３  操作受付部
４４  推定部
４５  比較部
４６  ルート設定部
４７  調整部
１００  管理装置
２００  飛行装置
３００  基地局
３００Ａ  基地局
３００Ｂ  基地局
４００  携帯通信装置
Ｇ  飛行終了位置
Ｎ  ネットワーク
Ｓ  飛行管理システム
Ｔ  飛行開始位置
【図１】
2019059258.tif 000003
【図２】
2019059258.tif 000004
【図３】
2019059258.tif 000005
【図４】
2019059258.tif 000006
【図５】
2019059258.tif 000007